(57)【要約】【課題】吊戸棚を天井面に取付ける場合にビス等の固定作業が水平方向であるので作業性が向上し、また、吊戸棚の取付位置を下端基準で決めても上端側に生じる施工誤差を吸収できる吊戸棚の取付構造を提供すること。【解決手段】天井パネル２０に吊戸棚補強板２３が取付けられ、該吊戸棚補強板２３が取付けられた天井パネル２０に吊戸棚取付用木枠３０が固定され、吊戸棚１０の天板１１上面の正面側に固定された木桟４１が該吊戸棚取付用木枠３０と奥行き方向に重なるように配置され、吊戸棚１０の天板１１上面の正面側から固定具３５で木桟４１及び吊戸棚取付用木枠３０が固定されている。【選択図】図２
2004173870.tif 000002
【特許請求の範囲】
【請求項１】
天井パネルに吊戸棚補強板が取付けられ、該吊戸棚補強板が取付けられた天井パネルに吊戸棚取付用木枠が固定され、吊戸棚の天板上面の正面側に固定された木桟が該吊戸棚取付用木枠と奥行き方向に重なるように配置され、吊戸棚の天板上面の正面側から固定具で木桟及び吊戸棚取付用木枠が固定されたことを特徴とする吊戸棚の取付構造。
【請求項２】
前記吊戸棚の天板上面の左右の側面側に固定された木桟が吊戸棚取付用木枠の側面に嵌合されていることを特徴とする請求項１記載の吊戸棚の取付構造。
【請求項３】
前記吊戸棚の背面板側から壁パネルに固定具で固定されたことを特徴とする請求項１又は２に記載の吊戸棚の取付構造。
【請求項４】
前記木桟に吊戸棚の正面及び左右の側面から化粧板が取付けられたことを特徴とする請求項１〜３に記載の吊戸棚の取付構造。
【発明の詳細な説明】
【０００１】
【発明の属する技術分野】
本発明は、キッチンや洗面台上部等に取付けられる吊戸棚の取付構造に関する。
【０００２】
【従来の技術】
従来、吊戸棚の取付構造として、天井面に直接取付けられる構造が知られている。（例えば、特許文献１参照）。又、吊戸棚用支持具と固定具とで壁に取付けられる構造も知られている。（例えば、特許文献２参照）。
【０００３】
【特許文献１】
特開平０３―２４６００９号公報
【特許文献２】
実公平０７―５３５４７号公報
【０００４】
【発明が解決しようとする課題】
しかしながら、特許文献１に記載の吊戸棚を天井面に直接取付ける方法においては、天井野縁へビス等により取付ける作業が上向き作業となり、作業性が良くない。また、取付位置についても、天井面への直接取付であるので、上端基準となるため、本来必要な下端の位置精度が十分でないという問題があった。
【０００５】
また、特許文献２に記載の吊戸棚を壁面に取付ける方法においては、吊戸棚の側板側の壁面に吊戸棚用支持具が取付られ、吊戸棚の側板の下端が係止され、背板側から背板側の壁面に背板を貫通する固定具によって壁に固定される構造であるので、少なくとも２面に壁面を有するコーナー部に取り付けが限定されるという問題があった。
【０００６】
本発明は、上記実状に鑑み、吊戸棚を天井面に取付ける場合にビス等の固定作業が水平方向であるので作業性が向上し、また、吊戸棚の取付位置を下端基準で決めても上端側に生じる施工誤差を吸収できる吊戸棚の取付構造を提供することを目的とするものである。
【０００７】
【課題を解決するための手段】
請求項１に記載の本発明は、天井パネルに吊戸棚補強板が取付けられ、該吊戸棚補強板が取付けられた天井パネルに吊戸棚取付用木枠が固定され、吊戸棚の天板上面の正面側に固定された木桟が該吊戸棚取付用木枠と奥行き方向に重なるように配置され、吊戸棚の天板上面の正面側から固定具で木桟及び吊戸棚取付用木枠が固定されたことを特徴とするものである。
【０００８】
請求項２に記載の本発明は、前記吊戸棚の天板上面の左右の側面側に固定された木桟が吊戸棚取付用木枠の側面に嵌合されていることを特徴とするものである。
【０００９】
請求項３に記載の本発明は、前記吊戸棚の背面板側から壁パネルに固定具で固定されたことを特徴とするものである。
【００１０】
請求項４に記載の本発明は、前記木桟に吊戸棚の正面及び左右の側面から化粧板が取付けられたことを特徴とするものである。
【００１１】
【作用】
請求項１に記載の取付構造においては、天井パネルに吊戸棚補強板が取付けられ、該吊戸棚補強板が取付けられた天井パネルに吊戸棚取付用木枠が固定されているので、天井パネルの保持強度が増し、また、吊戸棚の天板上面の正面側に固定された木桟が該吊戸棚取付用木枠と奥行き方向に重なるように配置され、吊戸棚の天板上面の正面側から固定具で木桟及び吊戸棚取付用木枠が固定される構造であるので、ビス等の固定具による固定作業が水平方向となり、安全性及び施工性を大幅に向上させることができる。
【００１２】
請求項２に記載の取付構造においては、前記吊戸棚の天板上面の左右の側面側に固定された木桟が吊戸棚取付用木枠の側面に嵌合されているので、吊戸棚の位置が容易に定まり作業性が大幅に向上する。
【００１３】
請求項３に記載の取付構造においては、前記吊戸棚の背面板側から壁パネルに固定具で固定される構造であるので、ビス等の固定具による固定作業が水平方向となり作業性が大幅に向上する。
【００１４】
請求項４に記載の取付構造においては、前記木桟に吊戸棚の正面及び左右の側面から化粧板が取付けられる構造であるので、吊戸棚の取付位置を吊戸棚の下端基準で決めても、吊戸棚の上端側の施工誤差は木枠と木桟の重なり寸法で吸収できるうえ、化粧板により見栄えも良い。
【００１５】
【実施例】
次に、本発明の吊戸棚の取付構造の実施例を図１〜図３に基づいて説明する。
【００１６】
図１（イ）は本発明の吊戸棚の取付構造において、天井パネル部分の天井補強板の取付状況を示す斜視図、図１（ロ）は天井補強板が取付けられた天井パネルの平面図である。図２（イ）は吊戸棚取付用木枠の天井パネルへの取付構造を示す断面図、図２（ロ）は吊戸棚を吊戸棚取付用木枠に取付ける状況を示す斜視図である。図３（イ）は天井に取付けた吊戸棚の断面図、図３（ロ）は取付が完了した吊戸棚の斜視図である。
【００１７】
図１（イ）において、天井パネル２０の天井根太２１，２１の間の天井面２２に天井補強板２３の天板面２３１を所定の位置ａに嵌め込み、天井補強板２３の両側の枠板２３２，２３２から固定図具２４を天井根太２１に打ち込み天井補強板２３が天井パネル２０に取付けられる。
【００１８】
図１（ロ）において、天井パネル２０の天井根太２１，２１，２１，・・・の間に天井補強板２３Ａ，２３Ｂ，２３Ｂ，２３Ｂが取付けられる。２３Ａのサイズは幅４１１ｍｍ×長さ１１１２ｍｍで吊戸棚の長さ方向の長さ１１３３ｍｍタイプ及び１４１７ｍｍタイプの２タイプに対応できる天井補強板である。２３Ｂサイズは幅４１０ｍｍ×長さ４１０ｍｍの正方形であり、図１（ロ）のように複数個取付けられて、天井灯の補強板としても用いられる。
【００１９】
図２（イ）及び図２（ロ）において、吊戸棚取付用木枠３０は，長辺側の木枠３１，３１と短辺側の木枠３２，３２及び中枠３３，３３，・・とからなる。図２（イ）に示すように、吊戸棚取付用木枠３０は中枠３３，３３、・・より不図示の天井補強板２３Ａ，または天井補強板２３Ｂに固定具３４，３４，・・により天井パネル２０に固定される。
【００２０】
図２（ロ）に示すように、吊戸棚１０は天板１１、側板１２，１２，背板１３、底板１４および扉１５，１５とからなる。天板１１には正面側に木桟４１及び側板側に木桟４２，４２が取付けられている。吊戸棚１０を奥行き方向に（矢印方向）吊戸棚取付用木枠３０の側板３２，３２に木桟４２，４２を嵌め込み、吊戸棚１０の正面側の木桟４１から固定具３５，３５，・・で吊戸棚取付用木枠３０に固定する。次いで吊戸棚１０の背板１３側の四隅の取付金具４３を通して固定具３５，３５，・・・により壁（不図示）に固定する。
【００２１】
図３（イ）に示すように、吊戸棚１０が天井パネル２０との間を吊戸棚取付用木枠３１及び木桟４１により取付けられ、その外側を化粧板５１で覆うように取付けられる。図３（ロ）に示すように、吊戸棚１０がレンジフード６０と共に、壁７０に固定される。このため、吊戸棚１０を吊戸棚１０の下端部分を基準に設置しても、設置による吊戸棚１０の上端部分に生じる施工誤差を吊戸棚取付用木枠３０と木桟４１及び木桟４２，４２の重なり寸法で吸収することができる。そして化粧板５１、側面化粧板５２，５２により前記施工誤差を覆い隠すことができ、見栄えが良い。
【００２２】
【発明の効果】
以上説明したように、請求項１に記載の取付構造にあっては、天井パネルに吊戸棚補強板が取付けられ、該吊戸棚補強板が取付けられた天井パネルに吊戸棚取付用木枠が固定されているので、天井パネルの保持強度が増し、また、吊戸棚の天板上面の正面側に固定された木桟が該吊戸棚取付用木枠と奥行き方向に重なるように配置され、吊戸棚の天板上面の正面側から固定具で木桟及び吊戸棚取付用木枠が固定される構造であるので、ビス等の固定具による固定作業が水平方向となり、安全性及び施工性を大幅に向上させることができる。
【００２３】
請求項２に記載の取付構造にあっては、前記吊戸棚の天板上面の左右の側面側に固定された木桟が吊戸棚取付用木枠の側面に嵌合されているので、吊戸棚の位置が容易に定まり作業性が大幅に向上する。
【００２４】
請求項３に記載の取付構造にあっては、前記吊戸棚の背面板側から壁パネルに固定具で固定される構造であるので、ビス等の固定具による固定作業が水平方向となり作業性が大幅に向上する。
【００２５】
請求項４に記載の取付構造にあっては、前記木桟に吊戸棚の正面及び左右の側面から化粧板が取付けられる構造であるので、吊戸棚の取付位置を吊戸棚の下端基準で決めても、吊戸棚の上端側の施工誤差は木枠と木桟の重なり寸法で吸収できるうえ、化粧板により見栄えも良い。
【図面の簡単な説明】
【図１】図１（イ）は本発明の吊戸棚の取付構造において、天井パネル部分の天井補強板の取付状況を示す斜視図、図１（ロ）は天井補強板が取付けられた天井パネルの平面図である。
【図２】図２（イ）は吊戸棚取付用木枠の天井パネルへの取付構造を示す断面図、図２（ロ）は吊戸棚を吊戸棚取付用木枠に取付ける状況を示す斜視図である。
【図３】図３（イ）は天井に取付けた吊戸棚の断面図、図３（ロ）は取付が完了した吊戸棚の斜視図である。
【符号の説明】
１０    吊戸棚
１１    天板
１２    側板
１３    背板
１４    底板
１５    扉
２０    天井パネル
２１    天井根太
２２    天井面
２３，２３Ａ，２３Ｂ    天井補強板
３０，３１，３２，３３    吊戸棚取付用木枠
４１，４２    木桟
５１，５２    化粧板
６０    レンジフード
７０    壁
【図１】
2004173870.tif 000003
【図２】
2004173870.tif 000004
【図３】
2004173870.tif 000005